(57)【要約】【課題】チェックインとチェックアウトとを完全に自動化したシステムを提供する。【解決手段】利用者によってチェックイン・チェックアウトの操作が行われる精算端末機２と、精算端末機２とデータの送受信が可能に接続されたサーバ装置３とから構成される。精算端末機２は、タッチ操作ディスプレイ１３から利用者によって宿泊者情報と手書き文字による署名が入力されて、サーバ装置３で格納される。そして、精算端末機２は、前払い金額の精算処理を行うと共に、サーバ装置３から示されるルームナンバー情報に基づき対応するルームキーを発行する。精算端末機２は、チェックアウトでは、返却されるルームキーのルームナンバー情報で追加精算金額をサーバ装置３に問い合わせて精算処理を行う。【選択図】図１
2018190308.tif 000002
【特許請求の範囲】
【請求項１】
利用者によってチェックイン・チェックアウトの操作が行われる精算端末機と、前記精算端末機とデータの送受信が可能に接続されたサーバ装置とから構成されて、
タッチ操作ディスプレイを備える前記精算端末機は、
前記タッチ操作ディスプレイに利用者が宿泊施設側に提示すべき情報である宿泊者情報を利用者に入力させる入力画面を表示して前記宿泊者情報を取得する宿泊者情報取得手段と、
前記タッチ操作ディスプレイに手書き入力部を表示して、前記手書き入力部に描かれた文字軌跡である手書き文字による署名文字画像を取得する署名情報取得手段と、
チェックイン時には利用者に提供する客室のＩＤ情報を有するルームキーを発行し、チェックアウト時には返却される前記ルームキーから前記ＩＤ情報を読み取るルームキー管理手段と、
チェックイン時には前払い金額の精算処理を制御し、チェックアウト時には返却される前記ルームキーの前記ＩＤ情報に基づく追加精算金額の精算処理を制御する精算制御手段と、
を備え、
前記サーバ装置は、
利用者によって予め予約申し込みされた予約情報と提供する客室の前記ＩＤ情報とを採番した予約番号で管理する予約管理手段と、
前記精算端末機から送信されてくる前記宿泊者情報と前記文字画像とを該当する利用者の前記予約情報に対応付けて格納する宿泊者情報管理手段と、
前記ＩＤ情報で前記追加精算金額を管理しており、前記精算制御手段からの前記ＩＤ情報による問い合わせに応答して対応する前記追加精算金額を送信する料金管理手段と、
を備える、ことを特徴とするチェックイン・チェックアウトシステム。
【請求項２】
前記料金管理手段は、前記予約情報に基づき演算した前記前払い金額を前記精算制御手段に送信することを特徴とした請求項１に記載のチェックイン・チェックアウトシステム。
【請求項３】
前記料金管理手段は、チェックイン後に前記ＩＤ情報に関連して発生する代金情報から前記追加精算金額を演算して前記精算制御手段に送信することを特徴とする請求項１又は２に記載のチェックイン・チェックアウトシステム。
【請求項４】
前記予約管理手段は予約を受け付けた利用者に前記予約番号を通知し、前記精算端末機は、利用者から提示される前記予約番号を前記サーバ装置に問い合わせて前記予約情報を確認する予約確認手段を備えることを特徴とする請求項１に記載のチェックイン・チェックアウトシステム。
【請求項５】
前記予約管理手段は、利用者の端末装置との通信により前記予約番号を通知することを特徴とする請求項４に記載のチェックイン・チェックアウトシステム。
【請求項６】
前記予約管理手段は、前記予約番号を前記精算端末機で読み取り可能なコードで通知することを特徴とする請求項４又は５に記載のチェックイン・チェックアウトシステム。
【請求項７】
前記予約管理手段は、前記予約番号を前記精算端末機で読み取り可能なコードでメールにより利用者の前記端末装置に送信することを特徴とする請求項５に記載のチェックイン・チェックアウトシステム。
【請求項８】
前記予約管理手段は、前記予約確認手段からの前記予約番号に基づく前記予約情報の確認に応答して対応する前記ＩＤ情報を送信することを特徴とする請求項４に記載のチェックイン・チェックアウトシステム。
【請求項９】
前記精算端末機は、カード型の前記ルームキーの発行及び返却を受け付けるカードキー処理ユニットを備えて、
前記ルームキー管理手段は、チェックイン時には前記カード型の前記ルームキーの磁気記録部に前記ＩＤ情報を記録し発行するよう前記カードキー処理ユニットを制御することを特徴とする請求項１又は８に記載のチェックイン・チェックアウトシステム。
【請求項１０】
前記精算制御手段は、チェックアウト時に前記カードキー処理ユニットが返却された前記カード型の前記ルームキーから読み取る前記ＩＤ情報に基づいて前記料金管理手段に前記追加精算金額を問い合わせることを特徴とする請求項９に記載のチェックイン・チェックアウトシステム。
【請求項１１】
前記ルームキー管理手段は、前記ＩＤ情報を近接距離通信によって前記利用者が所持する携帯端末機に送信することで、前記ＩＤ情報を受信した前記携帯端末機を前記ルームキーとすることを特徴とする請求項１又は８に記載のチェックイン・チェックアウトシステム。
【請求項１２】
前記精算制御手段は、チェックアウト時に前記携帯端末機から送信される前記ＩＤ情報に基づき前記サーバ装置への前記追加精算金額の問い合わせを行うことを特徴とする請求項１１に記載のチェックイン・チェックアウトシステム。
【発明の詳細な説明】
【技術分野】
【０００１】
本発明は、ホテルや旅館などでのチェックイン・チェックアウトシステムに関する。
【背景技術】
【０００２】
近年、ホテルなど宿泊施設においては、外国人観光客が増える中、例えば、フロントに立ち寄らず客室内でのチェックインなどの便宜を図ることを目的として、情報技術（ＩＴ）で安全確保や本人確認が担保可能な場合には、フロントを設置しないことも認めるなどのサービス拡充に向けた規制緩和の方向へと向かいつつある。
【０００３】
こうした傾向から、チェックインを電子化したシステムとして、特許文献１に示すものが知られている。このシステムにおいては、チェックインのカウンタに設けられたタッチ入力機能を有するタッチパネルと、当該タッチパネルとネットワークで接続された入力顧客情報確認端末及びサーバ装置とを有し、入力顧客情報確認端末を用いて、タッチパネルに入力された顧客個別情報を修正後、修正顧客情報として前記サーバ装置において保存し、複数の修正顧客情報を含んでなる顧客データベースを形成するデータベース形成手段を有することで、顧客のチェックインでの宿泊者登録の手続きが電子化されている。
【０００４】
また、チェックイン・チェックアウトを自動化したシステムとしては、特許文献２に示すものが知られている。このシステムは、ホテル等の各ルームのルームキーを回収するルームキー回収機と、ルームキー回収機に接続され、チェックインやチェックアウト業務を行なうチェックイン・アウト機と、チェックイン・アウト機に接続され、チェックイン・チェックアウトシステム全体を制御するホストコンピュータとを備えて、チェックイン・アウト機は、チェックインでは前受金の預り処理を行うと共に、チェックアウトでは、ルームキー回収機が回収したルームキーのＩＤ番号を読取り、チェックイン・アウト機へＩＤ番号を送信してホストコンピュータによって精算処理を行なう構成となっている。
【先行技術文献】
【特許文献】
【０００５】
【特許文献１】特許第６０９１５３６号公報
【特許文献２】特開２０００−２５９９５６号公報
【発明の概要】
【発明が解決しようとする課題】
【０００６】
特許文献１のチェックインシステムは、利用者が紙のチェックイン登録カードに必要事項を直筆で記入するのを、タッチパネルの使用により電子化することで、登録カードを保管するスペースの省略化を図ろうとするものである。
【０００７】
しかしながら、チェックインの手続きを終了した利用者は、フロントとは別に設置される自動代金精算手段にまで移動して、その表示部で表示されている前払いの代金を支払わなければならず利用者にとっては不便なものとなっている。しかも、チェックインカウンタと支払カウンタ（自動代金精算手段）とが場所が異なるため利用者の動線を確保する必要から、ホテルにとってはチェックインのスペースを大きく取る必要がある。
【０００８】
また、特許文献２のチェックイン・アウトシステムは、チェックアウトではルームキーを自動回収することで精算処理を行うが、チェックインで利用者にルームキーの自動貸し出しを行っておらず人手を要するシステムとなっている。
【０００９】
上記点から本発明は、利用者が一台の機器でチェックインとチェックアウトの両方の手続きを完全に自動化したシステムを提供する。
【課題を解決するための手段】
【００１０】
上記の目的を達成するために、利用者によってチェックイン・チェックアウトの操作が行われる精算端末機と、前記精算端末機とデータの送受信が可能に接続されたサーバ装置とから構成されて、タッチ操作ディスプレイを備える前記精算端末機は、前記タッチ操作ディスプレイに利用者がホテル側に提示すべき情報である宿泊者情報を利用者に入力させる入力画面を表示して前記宿泊者情報を取得する宿泊者情報取得手段と、前記タッチ操作ディスプレイに手書き入力部を表示して、前記手書き入力部に描かれた文字軌跡である手書き文字による署名文字画像を取得する署名情報取得手段と、チェックイン時には利用者に提供する客室のＩＤ情報を有するルームキーを発行し、チェックアウト時には返却される前記ルームキーから前記ＩＤ情報を読み取るルームキー管理手段と、チェックイン時には前払い金額の精算処理を制御し、チェックアウト時には返却される前記ルームキーの前記ＩＤ情報に基づく追加精算金額の精算処理を制御する精算制御手段と、を備え、前記サーバ装置は、利用者によって予め予約申し込みされた予約情報と提供する客室の前記ＩＤ情報とを採番した予約番号で管理する予約管理手段と、前記精算端末機から送信されてくる前記宿泊者情報と前記文字画像とを該当する利用者の前記予約情報に対応付けて格納する宿泊者情報管理手段と、前記ＩＤ情報で前記追加精算金額を管理しており、前記精算制御手段からの前記ＩＤ情報による問い合わせに応答して対応する前記追加精算金額を送信する料金管理手段と、を備える。
【００１１】
この場合の前記前払い金額は、前記料金管理手段が前記予約情報に基づき演算して前記精算制御手段に送信される。また、追加精算金額は、前記料金管理手段がチェックイン後に前記ＩＤ情報に関連して発生する代金情報から演算して前記精算制御手段に送信される。
【００１２】
好ましくは、前記予約管理手段は予約を受け付けた利用者に前記予約番号を通知するようにして、前記精算端末機は、利用者から提示される前記予約番号を前記サーバ装置に問い合わせて前記予約情報を確認する予約確認手段を備える構成とするとよい。これにより、精算端末機でのチェックイン時の予約の照合を迅速に行える。
【００１３】
このとき、前記予約管理手段は、利用者の端末装置との通信により予約情報を受け付けたことを、前記予約番号の送信で通知するようにするとよい。好ましくはメールで送信するのがよい。そして、前記予約番号は、前記精算端末機で読み取り可能なコードとすることでチェックインでの予約確認が自動化される。
【００１４】
さらに、前記予約管理手段は、前記予約番号と前記ＩＤ情報とを関連付けて管理し、前記予約確認手段からの前記予約番号に基づく予約の確認に応答して対応する前記ＩＤ情報を送信する。これにより、精算端末機でのルームキーの発行が可能となる。
【００１５】
ルームキーの発行形態として、精算端末機は、カード型の前記ルームキーの発行及び返却を受け付けるカードキー処理ユニットを備えて、ルームキー管理手段は、チェックイン時には前記カード型の前記ルームキーの磁気記録部に前記ＩＤ情報を記録し発行するよう前記カードキー処理ユニットを制御するものである。
【００１６】
ルームキーの別の発行形態として、ルームキー管理手段は、前記ＩＤ情報を近接距離通信によって前記利用者が所持する携帯端末機に送信することで、前記ＩＤ情報を受信した前記携帯端末機を前記ルームキーとするものである。
【００１７】
サーバ装置の前記料金管理手段は、前記予約情報から前記前払い金額を演算して精算端末機の精算制御手段に送信することで、チェックインでの予約の内容に応じた前払い金額の精算が可能となる。そして、前記料金管理手段は、チェックイン後に前記ＩＤ情報に関連して発生する代金情報から前記追加精算金額を演算する。
【００１８】
そして、前記精算制御手段は、チェックアウト時に前記カードキー処理ユニットが返却された前記カード型の前記ルームキーから読み取る前記ＩＤ情報に基づいて前記料金管理手段に前記追加精算金額を問い合わせることで、精算端末機での自動精算が行われる。
【００１９】
また、前記精算制御手段は、チェックアウト時に前記携帯端末機から送信される前記ＩＤ情報に基づき前記サーバ装置への前記追加精算金額の問い合わせを行うことで、精算端末機での自動精算が行われる。
【発明の効果】
【００２０】
本発明によるチェックイン・チェックアウトシステムによれば、チェックインでの前払い金額の徴収と利用者からの宿泊者情報及び署名の取得、チェックアウトでの追加精算金額の徴収とが精算端末機で行なえるためチェックイン・チェックアウト業務の省力化が図れる。
【図面の簡単な説明】
【００２１】
【図１】本発明に係わるチェックイン・チェックアウトシステムのブロック図を示す。
【図２】本発明に係わるチェックイン・チェックアウトシステムの精算端末機の電気的な構成をブロック図で示す。
【図３】精算端末機の外観説明図を示す。
【図４】精算端末機のタッチ操作ディスプレイの画面に表示される宿泊者情報の入力画面の説明図を示す。
【図５】精算端末機のタッチ操作ディスプレイの画面に表示される署名の入力画面の説明図を示す。
【図６】予約時に利用者の端末装置の画面に表示される空き室情報表示画面の説明図を示す。
【図７】サーバ装置のデータベースに格納されるデータ構成の模式的な説明図を示す。
【図８】本発明に係わるチェックイン・チェックアウトシステムの処理手順をタイミングチャートで示す。
【図９】本発明に係わるチェックイン・チェックアウトシステムの処理手順をタイミングチャートで示す。
【図１０】精算端末機のタッチ操作ディスプレイの初期画面の説明図を示す。
【図１１】利用者の端末装置をルームキーとした場合のチェックアウトでの処理手順をタイミングチャートで示す。
【図１２】利用者の端末装置をルームキーとしたときの動作の説明図を示す。
【発明を実施するための形態】
【００２２】
図１は本発明に係わるチェックイン・チェックアウトシステムの一実施形態を概略的に示すブロック図である。
【００２３】
本発明の実施形態に係わるチェックイン・チェックアウトシステム１は、利用者によってチェックイン・チェックアウトの操作が行われる精算端末機２と、精算端末機２とデータの送受信が可能にＬＡＮ（Ｌｏｃａｌ  Ａｒｅａ  Ｎｅｔｗｏｒｋ）４で接続されたサーバ装置３とから構成される。精算端末機２は、ホテルの規模にもよるが複数配置するのが好ましい。
【００２４】
サーバ装置３は、インターネット、電話回線、移動体通信網等による通信ネットワーク５を介して、ホテルを利用する利用者の端末装置６とデータの送受信が可能に接続される。利用者端末装置６はノート型のＰＣ（パーソナルコンピュータ）、タブレットＰＣ、スマートフォン、携帯電話機等、他の携帯端末装置であるのが好適であり、後に明らかとなるが、この場合の利用者端末装置６にはＮＦＣ（Ｎｅａｒ  Ｆｉｅｌｄ  Ｃｏｍｍｕｎｉｃａｔｉｏｎ)のような近接距離通信機能を備えるものであると更によい。
【００２５】
図２は、精算端末機２の各部の電気的接続を示している。まず、各種処理を統括して制御するＣＰＵ１０が設けられ、このＣＰＵ１０には動作プログラム等の固定データを格納するＲＯＭ１１と、可変データを格納するＲＡＭ１２と、タッチ操作ディスプレイ１３と、ＮＦＣ通信機１４と、クレジット決済を行うクレジットカード読取端末１５と、硬貨処理装置１６と、紙幣処理装置１７と、カード型のキーによるルームキー（以下、「カードキー」という）の貸し出し及び返却の受付を行うカードキー処理ユニット１８と、ＱＲ（Ｑｕｉｃｋ  Ｒｅｓｐｏｎｓｅ）コード（登録商標）を読み取るＱＲコードリーダ１９と、レシートプリンタ２０と、通信部２１とが接続されている。クレジットカード読取端末１５は、外部の決済センター９とも通信ネットワーク５で直接繋がっており、読み取ったクレジットカードの情報を決済センター９との通信によりオーソリゼーションを問い合わせて信用照会を行う。
【００２６】
図３は精算端末機２の外観図を示しており、正面パネル２ａの上部の傾斜面にはタッチ操作ディスプレイ１３の操作画面１３１が配置されている。よって、操作画面１３１は、精算端末機２の正面側に立った利用者がタッチ操作しやすくなるよう傾斜している。同様に、正面パネル２ａの傾斜面には、ＮＦＣ通信機１４と、ＱＲコードリーダ１９のカメラ部１９ａが配置されている。そして、正面パネル２ａの下部には、クレジットカード挿入口２２、紙幣挿入口２３、コイン投入口２４、釣銭払出口２５、カードキー発行・受取口２６等が配置されている。クレジットカード挿入口２２はレシートの発行口も兼ねている。
【００２７】
ＣＰＵ１０は、ＲＯＭ１１に格納されている動作プログラムを実行することにより予約確認手段１０ａ、宿泊者情報取得手段１０ｂ、署名情報取得手段１０ｃ、精算制御手段１０ｄ、ルームキー管理手段１０ｅの各機能を実現する。以下、この各機能について説明する。
【００２８】
予約確認手段１０ａは、ＱＲコードリーダ１９がカメラ部１９ａの撮影したＱＲコード画像からテキストデータによるチェックインの予約番号を読み取ると、通信部２１を通してこの予約番号をサーバ装置３に問い合わせる。そして、サーバ装置３から予約番号に対応する予約情報が送られてくると予約の確認が得られたことになり、精算端末機２は利用者によるチェックインの手続きを可能とする。
【００２９】
宿泊者情報取得手段１０ｂは、タッチ操作ディスプレイ１３に利用者がホテル側に提示すべき情報である宿泊者情報を利用者に入力させる入力画面１３ａを表示して、入力された宿泊者情報を取得する。図４はこの入力画面例を示しており、氏名・電話番号・住所・同伴者氏名等の宿泊者情報を入力するための入力欄が表示される。宿泊者情報取得手段１０ｂは、入力欄のボックスがタッチされると、文字入力用のキーパッドを表示させ、電話番号のテキストボックスがタッチされると、テンキーパッドを表示させる。図は電話番号の入力時であるためテンキーパッド１３ｂが表示されている。
【００３０】
このとき、宿泊者情報取得手段１０ｂは、操作画面１３１内に予約内容確認欄１３ｃも併せて表示する。この予約内容確認欄１３ｃには、予約確認手段１０ａがＱＲコードリーダ１９で読み取ったＱＲコードで問い合わせをして、サーバ装置３から送信されてくる予約情報が表示される。
【００３１】
署名情報取得手段１０ｃは、入力画面１３ａの「ご署名・お支払い」の選択ボタン１３ｄがタッチされると、図５に示すように手書き入力部である署名欄１３ｅを重ねて表示すると共に利用者が署名欄１３ｅの枠内に署名するときに描く文字を表示する。そして、署名欄１３ｅの「ＯＫ」ボタンが利用者によってタッチされると、署名情報取得手段１０ｃは、署名欄１３ｅの文字画像を含めたタッチ操作ディスプレイ１３の画面、すなわち手書き文字による署名文字画像を一時的に記憶する。署名は精算端末機２本体に備え付けのタッチペンにより手書き入力されるが、このタッチペンは上記の宿泊者情報の入力時にも使用されてもよい。
【００３２】
精算制御手段１０ｄは、署名欄１３ｅの「ＯＫ」ボタンがタッチされと、サーバ装置３から送られてきた予約情報に基づき演算した前払い金額をタッチ操作ディスプレイ１３上に表示して、利用者は現金またはクレジットカードの何れかの支払い法を選択することになる。この前払い金額はサーバ装置３において予約情報に基づき演算されて、精算制御手段１０ｄに送られてくる構成であってもよい。或いは、予約情報に係らず予め設定している金額（預り金）を前払い金額としてもよい。
【００３３】
そして、精算制御手段１０ｄは、選択される支払方法に応じて、クレジットカード読取端末１５或いは硬貨処理装置１６や紙幣処理装置１７を制御して前払い金の精算処理を行う。また、精算制御手段１０ｄは、サーバ装置３で管理されているチェックイン後から発生する追加精算金額の精算処理も行う。この場合、前述の預り金を前払い金額とする場合には、チェックイン後から発生する追加精算金額を含めた総支払金額から預り金額を引いた残額が最終的な追加精算金額となる。
【００３４】
ルームキー管理手段１０ｅは、前払いの精算終了後、ＱＲコードリーダ１９が読み取った予約番号をサーバ装置３に問い合わせて、受け取ったルームナンバー情報に基づいて、カードキー処理ユニット１８にカードキーを発行させる。カードキーはその裏面に磁気記録部を備えており、カードキー処理ユニット１８は、ルームキー管理手段１０ｅから送られてくるルームナンバー情報を磁気記録部に書き込みカードキーを作成してカードキー発行・受け取り口２７から発行する。
【００３５】
また、ＮＦＣ機能を備えたスマートフォン等の利用者端末装置６に所定のアプリケーションプログラムが予めインストールされていれば、利用者端末装置６をルームキーとして利用することができる。この場合には、ルームキー管理手段１０ｅは、ＮＦＣ通信機１４に利用者が利用者端末装置６をかざすことでルームナンバー情報が近接距離通信で送信される。図１２に示すように、客室のドア４０には客室側ＮＦＣ通信機４１を設けて、利用者端末装置６がこのＮＦＣ通信機に利用者端末装置６をかざすとルームナンバー情報が送信されて、当該客室のルームナンバーと一致しているとドアロックを解除するよう構成される。
【００３６】
よって、上述の精算制御手段１０ｄは、チェックアウトの時には、利用者によってカードキー発行・受け取り口２７から返却されたカードキーからカードキー処理ユニット１８で読み取られたルームナンバー情報又はＮＦＣ通信機１４にかざされた利用者端末装置６から送られてくるルームナンバー情報によってサーバ装置３に追加精算金額を問い合わせて、追加精算金額があればその精算処理を行う。
【００３７】
次にサーバ装置３について図１を参照して説明する。サーバ装置３は、ホテルの客室の空き情報を通信ネットワーク５上に提供し、空き情報に基づいた利用者端末装置６からの予約申込み情報を受け付けるＷｅｂサーバ３１と、この予約申込み情報を受け付けたとき、当該利用者端末装置６に受付確認メールを送信するメールサーバ３２と、ホテル内の業務を管理する管理サーバ３３とを備える。
【００３８】
管理サーバ３３は、ＬＡＮ４で精算端末機２やホテル内に設置されている例えば、館内のレストランでの飲食料金データを管理するレストラン端末機などの各端末装置３０（図示の例はレストラン端末機）と繋がっており、予約管理手段３３ａと、宿泊情報管理手段３３ｂと、宿泊代金の料金管理手段３３ｃと、データベース３３ｄとを有している。
【００３９】
予約管理手段３３ａは、客室の空き情報をＷｅｂサーバ３１へ送付し、Ｗｅｂサーバ３１は空き情報をブラウザ上で閲覧可能なようＷｅｂページを作成する。Ｗｅｂサーバ３１は、利用者が予約申込みに必要な事項を入力するための予約画面情報のＷｅｂページを予め作成している。よって、利用者がＷｅｂサーバ３１にアクセスしたとき、利用者端末装置６の画面には、例えば図６に示すように月単位での空き室情報が表示されて、空き室のある日にちが選択されると、画面は予約画面に切り換わり、利用者により必要事項が記入されてＷｅｂサーバ３１へ送信される。図示しないが、この予約画面には、宿泊日及び宿泊人数と朝食付き等の宿泊プランとメールアドレスが利用者によって入力されることになる。
【００４０】
これにより、予約管理手段３３ａは、当該予約受付に対する予約番号を採番して、予約番号に対応付けて予約画面に記入された予約情報を図７に示すようにデータベース３３ｄに格納する。加えて、予約管理手段３３ａは、客室を決定して予約番号に対応付けて、この客室のＩＤ情報をデータベース３３ｄに格納すると共に、更新した空き室情報をＷｅｂサーバ３１に送付する。ＩＤ情報は、例えばルームナンバーであり、以下、ルームナンバーで説明する。そして、メールサーバ３２は、このテキストデータによる予約番号をＱＲコードに変換し、このＱＲコードを予約情報に含まれているメールアドレス宛にメール送信する。よって、利用者はメールの受信により予約が成立したことを確認することができる。
【００４１】
宿泊情報管理手段３３ｂは、精算端末機２からＱＲコードリーダ１９が読み取った予約番号が送信されてくると、データベース３３ｄに格納されている予約番号と照合して予約の有無を確認する。予約があれば、この予約番号に対応付けてデータベース３３ｄに格納しているルームナンバーを精算端末機２に送信することで、宿泊者情報取得手段１０ｂによるチェックインの処理を許可する。
【００４２】
そして、宿泊情報管理手段３３ｂは、チェックイン手続により宿泊者情報取得手段１０ｂが取得した宿泊者情報及び署名情報取得手段１０ｃが取得した署名文字画像のイメージファイルＩＭＧを予約番号に対応付けてデータベース３３ｄに格納する。よって、データベース３３ｄは宿泊カードを電子ファイルで保存することになる。
【００４３】
料金管理手段３３ｃは、精算端末機２からＱＲコードに基づく予約番号が送信されると、この予約内容に基づく前払い金額を演算して、この前払い金額を精算端末機２に送信する。チェックイン後に利用者がホテル内の各設備や施設の利用で発生する代金情報、例えばレストランでの飲食代はレストラン端末機６から利用者のルームナンバー情報と共に料金管理手段３３ｃに送られてくる。したがって、料金管理手段３３ｃは、チェックアウト時には、この利用者のルームナンバーで送られてきているチェックイン後に発生する代金情報から追加精算金額を演算して、この追加精算金額を精算端末機２へ送信する。
【００４４】
上記構成のチェックイン・チェックアウトシステム１の処理手順について、図８及び図９を参照して詳細に説明する。
【００４５】
先ず、利用者端末装置６がサーバ装置３のＷｅｂサーバ３１が開設しているウェブサイトにアクセスすると（ステップＳ０１）、ホテルの客室の空き情報のウェブページが送られて、利用者端末装置６に表示される（ステップＳ０２）。
【００４６】
利用者は空き室状況をチェックして、宿泊予定日に空き室があればこの日を指定する（ステップＳ０３）。宿泊日の指定により、利用者端末装置６にはＷｅｂサーバ３１から予約画面のＷｅｂページが送られてきて表示される（ステップＳ０４）。そして、利用者によって宿泊数及び宿泊人数と宿泊プランとメールアドレス等の予約情報が入力されて送信される（ステップＳ０５）。
【００４７】
Ｗｅｂサーバ３１に予約情報が送られてくると、管理サーバ３３の予約管理手段３３ａは予約番号を採番し、この予約情報と共にデータベース３３ｄに格納する（ステップＳ０６）。このとき、予約管理手段３３ａはこの利用者に提供する客室を決定し、このルームナンバーも併せて予約情報に対応付けてデータベース３３ｄに格納する。
【００４８】
そして、メールサーバ３２は、この予約番号を表わすＱＲコードを入力された予約情報の中に含まれているメールアドレスにメールで送信する（ステップＳ０７）。そして、利用者端末装置６でＱＲコードが保存される（ステップＳ０８）一方、予約管理手段３３ａは空き室情報を更新して宿泊予約が完了する（ステップＳ０９）。
【００４９】
精算端末機２は待機時においては、図１０に示すように、タッチ操作ディスプレイ１３の操作画面にチェックイン及びチェックアウトの何れかの処理を選択するための初期画面を表示している。そして、チェックインの処理が選択されたときの処理を説明する。
【００５０】
利用者が精算端末機２のタッチ操作ディスプレイ１３の初期画面から「チェックイン」を選択すると、精算端末機２はチェックインの処理となる。
【００５１】
チェックイン処理で、精算端末機２は、ＱＲコードリーダ１９に利用者にメールで送信しているＱＲコードがかざされると（ステップＳ１０）、予約確認手段１０ａがＱＲコードに示されている予約番号を管理サーバ３３に問い合わせる（ステップＳ１１）。
【００５２】
管理サーバ３３はこの問い合わせに対し予約管理手段３３ａがデータベース３３ｄから該当する予約番号を検索し（ステップＳ１２）、検索した予約番号に関連付けて格納されているルームナンバーと予約情報とを問合せのあった精算端末機２へ送信する（ステップＳ１３）。
【００５３】
精算端末機２はこれらの情報を受信すると、宿泊者情報取得手段１０ｂがタッチ操作ディスプレイ１３に宿泊者情報の入力画面１３ａを表示して、利用者が入力する宿泊情報を取得する（ステップＳ１４）。続いて、精算端末機２の署名情報取得手段１０ｃが署名欄１３ｃの枠内に描かれる文字を表示して、利用者による署名欄１３ｅ内への署名が行われる。そして、署名欄１３ｅの「ＯＫ」ボタンが利用者によってタッチされると、署名情報取得手段１０ｃは、署名欄１３ｅに描かれた手書き文字を含むタッチ操作ディスプレイ１３に表示された画面を、署名文字画像として一時的に記憶する（ステップＳ１５）。
【００５４】
続いて、精算端末機２は、精算制御手段１０ｄによって、予約管理手段３３ａから送られてきたこの予約情報の宿泊数及び人数と宿泊プランから前払い金額を演算し、タッチ操作ディスプレイ１３の画面にこの前払い金額を表示して、利用者によるクレジットカード払い又は現金支払いの何れかが選択されると前払い金額の精算処理となる（ステップＳ１６）。
【００５５】
具体的には、精算制御手段１０ｄは、クレジットカードでの支払が選択されたときには、クレジットカードでの決済処理を行うよう、クレジットカード読取端末１５に決済信号を出力する。これにより、クレジットカード読取端末１５は、クレジットカード挿入口２２に挿入されるクレジットカードのオーソリゼーション（信用照会）を決済センター９に行って決済処理し、決済処理情報を精算制御手段１０ｄに送る。精算制御手段１０ｄは、決済処理情報に基づきレシートプリンタ２０を制御してレシートと共にカード売上票を発行させる。
【００５６】
一方、現金での支払が選択されたときには、精算制御手段１０ｄは、紙幣挿入口２３やコイン投入口２４から投入される紙幣やコインから投入金額を演算して前払い金額を精算する。この場合、投入合計金額が前払い金額を超過している場合には、その差額を硬貨処理装置１６や紙幣処理装置１７から釣り銭として紙幣挿入口２３や釣銭払い出し口２５から払い出す。そして、精算終了後、精算制御手段１０ｄは、レシートプリンタ２０を制御してレシートを発行する。
【００５７】
前払い金額の精算が終了すると、精算制御手段１０ｄは、宿泊者情報取得手段１０ｂや署名情報取得手段１０ｃによってそれぞれ取得された宿泊者情報及び署名文字画像を管理サーバ３３へ送信する（ステップＳ１７）。そして、宿泊情報管理手段３３ｂは、宿泊者情報及び署名情報取得手段１０ｃが取得した署名文字画像を予約番号に対応付けてデータベース３３ｄに格納する（ステップＳ１８）。
【００５８】
そして、精算端末機２では、ルームキー管理手段１０ｅがルームキーを発行する（ステップＳ１９）。ルームキーの発行は、カードキー処理ユニット１８からカードキーを発行する場合と、ＮＦＣ機能を備えたスマートフォン等の利用者端末装置６をルームキーとして利用できるようにする場合の何れかを、利用者が選択できるようになっている。
【００５９】
ルームキーをカードキーで発行する場合には、ルームキー管理手段１０ｅは、前払いの精算終了後、管理サーバ３３から送られてきている予約番号に関連付けられているルームナンバー情報をカードキーの磁気記録部に記録して、カードキー発行・受け取り口２７から発行（送出）するようカードキー処理ユニット１８を制御する。
【００６０】
一方、利用者端末装置６をルームキーとして利用する場合には、ルームキー管理手段１０ｅは、利用者が予めインストールしている専用アプリケーションを起動させてＮＦＣ通信機１４にかざすことで、ルームナンバー情報が近接距離通信で送信されてルームキーとして発行されたことになる。そして、ルームキーである利用者端末装置６を客室のドア４０に取り付けられている客室側ＮＦＣ通信機４１にかざすとルームナンバー情報が送信されて、当該客室のルームナンバーと一致しているとドアロックが解除される。ルームキーは利用者端末装置６に限らず、ホテルが宿泊期間中に利用者に貸し出す携帯端末装置であってもよい。
【００６１】
チェックイン・チェックアウトシステム１のチェックアウト時の処理手順を説明する。チェックイン後、管理サーバ３３は、料金管理手段３３ｃによってルームナンバー毎にホテル内の各施設の利用で発生する追加精算金額を演算してデータベース３３ｄでルームナンバーに対応付けて格納している。例えば、レストランでの飲食代金は、レストラン端末機６かルームナンバー情報と共に管理サーバ３３に送られて、追加精算金額として料金管理手段３３ｃで演算されている。そして、利用者が精算端末機２の初期画面１３ａから「チェックアウト」を選択したとき、精算端末機２は、料金管理手段３３ｃで演算処理されている追加精算金額の精算処理を行う。
【００６２】
追加精算金額の精算処理において、利用者端末装置６をルームキーに利用している場合、利用者がＮＦＣ通信機１４に利用者端末装置６をかざすと、ルームナンバー情報が精算端末機２へ送信される（ステップＳ２０）。精算端末機２はルームナンバー情報を受信すると、精算制御手段１０ｄは受信したルームナンバー情報を管理サーバ３３へ送信して追加精算金額を問合せる（ステップＳ２１）。
【００６３】
そして、管理サーバ３３では、料金管理手段３３ｃが受信したルームナンバーに対応する追加精算金額をデータベース３３ｄから読み出して精算端末機２へ送信する（ステップＳ２２）。これにより、追加精算金額を受け取った精算端末機２は、利用者端末装置６のカードキーとしての機能を解除する（ステップＳ２３）。すなわち、ルームキー管理手段１０ｅは、ＮＦＣ通信機１４から利用者端末装置６にインストールされている専用アプリケーションに対し、ルーナンバーの消去を指示する。
【００６４】
また、精算端末機２の精算制御手段１０ｄは、タッチ操作ディスプレイ１３の画面に管理サーバ３３から受け取った追加精算金額とその明細を表示して、利用者にクレジットカード払い又は現金支払いの何れかを選択してもらい、追加精算金額の精算処理を行う（ステップＳ２４）。この場合も前払い金の精算と同様に、クレジットカード挿入口２２から挿入されるクレジットカードによる決済処理や、又は紙幣挿入口２３やコイン投入口２４から投入される紙幣やコインによる投入金額の受け取りにより追加精算金額が精算して、チェックアウトの処理を終了する。
【００６５】
一方、ルームキーがカードキー処理ユニット１８から発行されたカードキーの場合には、図１１で示すように、利用者は精算端末機２の初期画面から「チェックアウト」を選択後、カードキーをカードキー発行・受け取り口２７へ挿入する（ステップＳ´２０）。カードキー処理ユニット１８は返却されたカードキーの磁気記録部に記録されているルームナンバーを読み取ると、精算制御手段１０ｄはこのルームナンバー情報を管理サーバ３３へ送信して追加精算金額を問合せる（ステップＳ´２１）。そして、ルームキー管理手段１０ｅは、返却されたカードキーの磁気記録部に記録されているルームナンバー情報を消去するようカードキー処理ユニット１８を制御し（ステップＳ´２３）、精算制御手段１０ｄは追加精算金額の精算処理を行ってチェックアウトを終了する（ステップＳ´２４）。
【００６６】
本発明に係るチェックイン・チェックアウトシステム１は、予約の確認・利用者に記入してもらうチェックイン登録カードの手渡しと記入後の回収・前払い金額の徴収とルームキーの発行・チェックアウト時の追加精算金額の徴収のフロントの担当者が行う対面処理をサーバ装置３からの指示で精算端末機２が実行する。よって、利用者が一台の機器でチェックインとチェックアウトの両方の手続きを行うことができる。
【００６７】
そして、このチェックイン・チェックアウトシステム１は一般のホテルに設置された場合での実施形態で説明したが、これに限らず、ホテル以外の、利用するにあたって費用の発生する、例えば遊園地やスパ等のアミューズメント施設の任意の施設に用いてもよいことは言うまでもない。
【００６８】
以上、図示されている実施形態を参照して、本発明を説明したが、図示されているこれら実施形態に限定されるものではない。例えば、本実施形態のチェックイン・チェックアウトシステム１においては、予約を受け付けたとき予約番号をＱＲコードで利用者にメールで送信しているが、ＱＲコード以外の二次元コードやバーコードであってもよい。或いは、予約番号をＱＲコードに変換せずにそのままの形態で利用者に通知してもよく、その場合、チェックイン時において精算端末機２にはタッチ操作ディスプレイ１３や別に設けたキーボードから予約番号が入力されて、サーバ装置３に予約番号の問い合わせを行うことになる。
【００６９】
さらに、予約番号の通知もメールに限らず、利用者が予約画面のＷｅｂページに予約情報を入力してＷｅｂサーバ３１がこれを受け付けたとき、予約管理手段３３ａが採番した予約番号を表示しているＷｅｂページを利用者の端末装置６へ送信してもよい。この場合、予約番号の送付に関してメールサーバ３２は使用されないことになる。
【符号の説明】
【００７０】
１    チェックイン・チェックアウトシステム
２    精算端末機
３    サーバ装置
６    利用者端末装置
１３  タッチ操作ディスプレイ
１０ａ予約確認手段
１０ｂ  宿泊者情報取得手段
１０ｃ  署名情報取得手段
１０ｄ  精算制御手段
１０ｅ  ルームキー管理手段
１８  カードキー処理ユニット
３３  紙管理サーバ
３３ａ  予約管理手段
３３ｂ  宿泊情報管理手段
３３ｃ  料金管理手段
【図１】
2018190308.tif 000003
【図２】
2018190308.tif 000004
【図３】
2018190308.tif 000005
【図４】
2018190308.tif 000006
【図５】
2018190308.tif 000007
【図６】
2018190308.tif 000008
【図７】
2018190308.tif 000009
【図８】
2018190308.tif 000010
【図９】
2018190308.tif 000011
【図１０】
2018190308.tif 000012
【図１１】
2018190308.tif 000013
【図１２】
2018190308.tif 000014